Podtech/llm-jp-corpus-v4-ja_patent huggingface dataset:
【手続補正書】
【提出日】平成18年4月28日(2006.4.28)
【手続補正１】
【補正対象書類名】特許請求の範囲
【補正対象項目名】全文
【補正方法】変更
【補正の内容】
【特許請求の範囲】
【請求項１】
トロンボモジュリン（TM）EGF456ドメイン又はその類似体、フラグメント、誘導体又は変異体に作用可能に結合された、組織因子（TF）又は第VII a因子/TF（FVII a/TF）複合体と相互作用する標的タンパク質を単独で、又はEGF3とEGF4との間のドメイン間ループ、EGF123ドメイン、O−結合されたグリコシル化ドメイン及びN−末端疎水性領域ドメイン、又はそれらの類似体、フラグメント、誘導体又は変異体から成る群から選択された少なくとも１つの追加のTMドメインと組合して含んで成る抗凝固融合タンパク質。
【請求項２】
前記TMドメインが、EGF3とEGF4との間のドメイン間ループを含んで成る請求項１記載の融合タンパク質。
【請求項３】
前記EDF456ドメインが、前記融合タンパク質を酸化損傷又はプロテアーゼ活性に対してより耐性にするか、又は前記融合タンパク質の触媒効率を高める点突然変異を含む請求項２記載の融合タンパク質。
【請求項４】
前記EGF458ドメインが、H381G, M388L, R456G及びH457Qから成る群から選択された少なくとも１つの点突然変異を含む請求項３記載の融合タンパク質。
【請求項５】
前記EGF456ドメインが、H381G, M388L, R456G及びH457Qから成る群から選択された少なくとも１つの点突然変異を含む請求項４記載の融合タンパク質。
【請求項６】
前記標的タンパク質が、TFを結合する抗体である請求項１記載の融合タンパク質。
【請求項７】
前記抗体がモノクローナル抗体である請求項６記載の融合タンパク質。
【請求項８】
前記モノクローナル抗体が、TFのみに対してよりも高い親和性を用いてFVII a/TF複合体に結合する請求項７記載の融合タンパク質。
【請求項９】
前記モノクローナル抗体が、一本鎖抗体、Fabダイマー抗体又はIgG抗体である請求項８記載の融合タンパク質。
【請求項１０】
前記モノクローナル抗体が、一本鎖抗体である請求項９記載の融合タンパク質。
【請求項１１】
前記モノクローナル抗体が、１よりも多くのTMドメインに作用可能に連結されている請求項７記載の融合タンパク質。
【請求項１２】
前記モノクローナル抗体が、TFを中和する請求項１記載の融合タンパク質。
【請求項１３】
前記融合タンパク質がグリコシル化されている請求項１記載の融合タンパク質。
【請求項１４】
前記融合タンパク質が、ポリエチレングリコールの添加により修飾されている請求項１記載の融合タンパク質。
【請求項１５】
前記融合タンパク質が、ストレプタビジンを結合するためにビオチニル化されている請求項１記載の融合タンパク質。
【請求項１６】
前記標的タンパク質がFVII aiである請求項１記載の融合タンパク質。
【請求項１７】
前記標的タンパク質がTFPIである請求項１記載の融合タンパク質。
【請求項１８】
治療的有効量の請求項１記載の融合タンパク質及び医薬的に許容できる賦形剤を含んで成る医薬組成物。
【請求項１９】
請求項１記載の融合タンパク質を含んで成る、他の凝固パラメーター、例えば血小板の活性化及び凝固に直接的に影響を及ぼさないで、血栓形成に対して保護する医薬組成物。
【請求項２０】
虚血性発作、血管形成に続く血栓合併症、又は微小血管手術における血栓形成に対して保護するための請求項19記載の医薬組成物。
【請求項２１】
請求項１記載の融合タンパク質を含んで成る、深静脈血栓症（DVT）、散在性血管内凝固（DIC）、急性冠状症候群、又は患者における凝固障害の現象を伴う癌を予防し、又は治療するための医薬組成物。
【請求項２２】
請求項１記載の融合タンパク質を含んで成る、炎症性応答を調節するための医薬組成物。
【請求項２３】
前記炎症性応答が、敗血症、皮膚及び静脈移植片、及び器官移植片から成る群から選択される請求項22記載の医薬組成物。
【請求項２４】
前記融合タンパク質が、血液と接触する医学用装置の表面上に非トロンボゲン性被膜を形成するために使用され得る請求項１記載の融合タンパク質。
【請求項２５】
請求項１記載の融合タンパク質を含んで成るキット。
【請求項２６】
請求項１記載の融合タンパク質成分をコードするDNA配列を含んで成るキット。
【請求項２７】
治療的有効量の遺伝子治療ベクターと共に、配列番号２又は３のアミノ酸配列から成る融合タンパク質をコードするDNAを含んで成る遺伝子療法組成物。
【請求項２８】
H381G, M388L, R456G及びH457Qでの点突然変異から成るTM EGF456ドメイン及びEGF3とEGF4との間のドメイン間ループに作用可能に連結される、TF又はFVII a/TF複合体と相互作用する、TFを結合する一本鎖抗体である標的タンパク質を含んで成る抗凝固融合タンパク質。
【請求項２９】
前記融合タンパク質が、配列番号２又は３のアミノ酸配列を含んで成る請求項28記載の融合タンパク質。
【手続補正書】
【提出日】平成18年4月4日(2006.4.4)
【手続補正１】
【補正対象書類名】特許請求の範囲
【補正対象項目名】請求項１３
【補正方法】変更
【補正の内容】
【請求項１３】
前記フィブリンマトリックスがフィブリノーゲンからイン  ビボ（in vivo）で形成され、そこで、例えばポスト血栓症症候群の治療の範囲内で、HMW/LMW及び／又はHMW／LMW’比がHMＷフィブリノーゲンのLMWフィブリノーゲンへの転化を刺激する又は阻害することによって調節されるところの、請求項１〜８のいずれか一項に記載の方法。
【手続補正２】
【補正対象書類名】特許請求の範囲
【補正対象項目名】請求項１４
【補正方法】変更
【補正の内容】
【請求項１４】
フィブリノーゲン及び医薬的に許容される担体を含む医薬組成物であって、前記フィブリノーゲンが、選択されたフィブリノーゲン変異体、又は選択されたフィブリノーゲン変異体に豊む若しくは乏しいフィブリノーゲンから成る、前記医薬組成物
【手続補正書】
【提出日】平成18年3月17日(2006.3.17)
【手続補正１】
【補正対象書類名】特許請求の範囲
【補正対象項目名】全文
【補正方法】変更
【補正の内容】
【特許請求の範囲】
【請求項１】
哺乳動物Sema4Aタンパク質を選択的に認識して結合する、単離抗体又は抗体誘導体。
【請求項２】
哺乳動物Tim-2タンパク質を選択的に認識して結合する、単離抗体又は抗体誘導体。
【請求項３】
賦形剤、アジュバント、希釈剤及び担体からなる群より選択される成分と、請求項１又は２記載の抗体又は抗体誘導体とを含む、医薬組成物。
【請求項４】
自己免疫疾患、アレルギー及び喘息から選択される疾患の治療用医薬品を調製するための、請求項１又は２記載の抗体又は抗体誘導体の使用。
【請求項５】
配列番号１の配列からなるタンパク質（ヒトSema4Aタンパク質）；及び配列番号１に対して少なくとも95％同一なアミノ酸配列を含むタンパク質群；からなる群より選択される単離精製タンパク質であって、共刺激分子として作用する生物学的機能を有する前記単離精製タンパク質。
【請求項６】
Sema4Aタンパク質の細胞外セマドメインを少なくとも含み、且つSema4Aタンパク質の膜貫通ドメインの一部分を少なくとも欠いている、単離された可溶性哺乳動物Sema4Aタンパク質誘導体。
【請求項７】
別のタンパク質又はタンパク質ドメインに融合している哺乳動物Sema4Aタンパク質の全部又は一部を含む、Sema4A融合タンパク質。
【請求項８】
配列番号３の配列からなる、請求項７記載のSema4A融合タンパク質。
【請求項９】
対象者に投与されるときに、前記対象者のT細胞媒介性免疫応答を刺激する医薬組成物であって、
(i)請求項５記載のSema4Aタンパク質、請求項６記載の可溶性哺乳動物Sema4Aタンパク質誘導体及び請求項７又は８記載の哺乳動物Sema4A融合タンパク質からなる群より選択される医薬的に有効な成分；並びに
(ii)賦形剤、アジュバント、希釈剤及び担体からなる群より選択される成分；
を含む前記医薬組成物。
【請求項１０】
請求項５記載のSema4Aタンパク質、請求項６記載の可溶性哺乳動物Sema4Aタンパク質誘導体及び請求項７又は８記載の哺乳動物Sema4A融合タンパク質からなる群より選択される医薬的に活性な物質の、一次的若しくは二次的免疫不全の治療用医薬品又は正常なT細胞応答を刺激する医薬品を調製するための使用であって、
前記医薬的に活性な物質は、T細胞媒介性免疫応答を刺激する生物学的作用を有する、前記使用。
【請求項１１】
T細胞表面上に存在するTim-2抗原に反応性である、哺乳動物Sema4Aタンパク質誘導体。
【請求項１２】
ヒトを含む哺乳動物のT細胞媒介性免疫応答を調節し得る化合物を同定する方法であって、
候補化合物を調製する工程；
表面にSema4A受容体を発現しているT細胞を、前記候補化合物と接触させる工程；
前記T細胞を活性化するのに適切な条件下で、前記T細胞をSema4A作用因子と接触させる工程；及び
前記候補化合物が前記T細胞の活性化を調節するかを決定する工程；
を含み、
前記Sema4A作用因子が哺乳動物Sema4Aタンパク質、請求項５記載のヒトSema4Aタンパク質、請求項６記載の可溶性哺乳動物Sema4Aタンパク質誘導体、請求項７又は８記載の哺乳動物Sema4A融合タンパク質、及び細胞表面上にSema4Aタンパク質又はSema4Aタンパク質の細胞外セマドメインを少なくとも含むSema4Aタンパク質誘導体を発現している細胞からなる群より選択される、前記方法。
【請求項１３】
請求項１又は２記載の抗体又は抗体誘導体、請求項５記載のSema4Aタンパク質、請求項６記載の可溶性哺乳動物Sema4Aタンパク質誘導体、請求項７又は８記載の哺乳動物Sema4A融合タンパク質及び請求項１２記載の方法によって同定される化合物からなる群より選択される物質の使用であって、
T細胞共刺激経路の研究のため又はT細胞活性化異常に関連する疾患の治療用医薬品の調製のための、前記使用。
【請求項１４】
請求項１又は２記載の抗体又は抗体誘導体、請求項５記載のSema4Aタンパク質、請求項６記載の可溶性哺乳動物Sema4Aタンパク質誘導体、請求項７又は８記載の哺乳動物Sema4A融合タンパク質及び請求項１２記載の方法によって同定される化合物からなる群より選択される物質を、T細胞に投与することを含む、T細胞応答を調節する方法。
【手続補正書】
【提出日】平成18年2月21日(2006.2.21)
【手続補正１】
【補正対象書類名】特許請求の範囲
【補正対象項目名】全文
【補正方法】変更
【補正の内容】
【特許請求の範囲】
【請求項１】
表１の化合物またはその薬剤として許容される塩、鏡像異性体、ジアステレオマー、互変異性体または混合物を含む高眼圧症または緑内障の治療用医薬組成物。
【表１】
2005538061.tif 000001
2005538061.tif 000002
2005538061.tif 000003
2005538061.tif 000004
2005538061.tif 000005
2005538061.tif 000006
2005538061.tif 000007
2005538061.tif 000008
2005538061.tif 000009
2005538061.tif 000010
2005538061.tif 000011
2005538061.tif 000012
【請求項２】
局所製剤としての請求項１に記載の医薬組成物。
【請求項３】
局所製剤が液剤または懸濁剤である請求項２に記載の医薬組成物。
【請求項４】
β−アドレナリン遮断薬、アドレナリン作動薬、副交感神経作動薬、炭酸脱水素酵素阻害剤、ＥＰ４作動薬およびプロスタグランジンまたはプロスタグランジン誘導体から選択される降圧薬である第２有効成分を同時にまたは続けて投与することを特徴とする請求項３に記載の医薬組成物。
【請求項５】
β−アドレナリン遮断薬が、チモロール、レボブノロール、カルテオロール、オプティプラノロール、メタプラノロールまたはベタキソロールであり、副交感神経作動薬がピロカルピン、カルバコールまたはヨウ化ホスホリンであり、アドレナリン作動薬がアイオピジン、ブリモニジン、エピネフリン、またはジピベフリンであり、炭酸脱水素酵素阻害剤がドルゾラミド、アセタゾラミド、メタゾラミドまたはブリンゾラミドであり、プロスタグランジンがラタノプロストまたはレスキュラであり、プロスタグランジン誘導体がＰＧＦ２αプロスタグランジンから誘導した降圧性脂質である請求項４に記載の医薬組成物。
【請求項６】
局所製剤がキサンタンガムまたはジェランガムを含む請求項２に記載の医薬組成物。
【請求項７】
請求項１に記載の化合物を含む、神経保護作用をもたらし、網膜および視神経乳頭の血流を速め、網膜および視神経の酸素圧を高める、黄班浮腫、黄班変性の治療用医薬組成物。
【請求項８】
液剤または懸濁剤の形態の局所製剤としての請求項７に記載の医薬組成物。
【請求項９】
β−アドレナリン遮断薬、アドレナリン作動薬、副交感神経作動薬、炭酸脱水素酵素阻害剤、ＥＰ４作動薬ならびにプロスタグランジンまたはプロスタグランジン誘導体から選択される降圧薬である第２有効成分を同時にまたは続けて投与することを特徴とする請求項８に記載の医薬組成物。
【請求項１０】
β−アドレナリン遮断薬がチモロール、レボブノロール、カルテオロール、オプティプラノロール、メタプラノロールまたはベタキソロールであり、副交感神経作動薬がピロカルピン、カルバコール、またはヨウ化ホスホリンであり、アドレナリン作動薬がアイオピジン、ブリモニジン、エピネフリンまたはジピベフリンであり、炭酸脱水素酵素阻害剤がドルゾラミド、アセタゾラミド、メタゾラミド、またはブリンゾラミドであり、プロスタグランジンがラタノプロストまたはレスキュラであり、プロスタグランジンン誘導体がＰＧＦ２αプロスタグランジンから誘導した降圧性脂質である請求項９に記載の医薬組成物。
【請求項１１】
局所製剤がキサンタンガムまたはジェランガムを含む請求項８に記載の医薬組成物。
【手続補正書】
【提出日】平成18年9月1日(2006.9.1)
【手続補正１】
【補正対象書類名】特許請求の範囲
【補正対象項目名】全文
【補正方法】変更
【補正の内容】
【特許請求の範囲】
【請求項１】
一部材上に整合された複数の物品を、前記部材上の整合物品に対して横方向に延びているコンベアに搬送するスイープアウト装置であって、
細長バーを備えたヘッドを有し、細長バーは、これから横方向に延びている互いに間隔を隔てた複数のフィンガを備え、各フィンガは、細長バーと協働して、１つの物品を受入れるポケットを形成し、細長バーを備えた前記ヘッドは９０°の弧に亘って揺動運動して、複数の物品を前記部材からコンベア上の位置にスイープアウトでき、細長バーは、前記部材上の物品と係合しかつコンベア上の物品から後退すべく往復運動でき、
揺動運動をヘッドに伝達するための第一可逆回転電気モータを有し、該第一可逆回転電気モータはその作動中に所定位置に固定されかつヘッドと係合する環状出力軸を備えたスイープアウト装置において、
ヘッドに対する往復運動を細長バーに伝達するための第二可逆回転電気モータを有し、該第二可逆回転電気モータはその作動中に所定位置に固定されかつ第一可逆回転電気モータの垂直下方で同軸状に整合しており、第二可逆回転電気モータは第一可逆回転電気モータの環状出力軸を通って延びている出力軸を備え、第一可逆回転電気モータの環状出力軸と第二可逆回転電気モータの出力軸とは相対回転でき、
往復運動を第二可逆回転電気モータの出力軸から細長バーに伝達する遊星歯車伝達装置を更に有することを特徴とするスイープアウト装置。
【請求項２】
前記第一可逆回転電気モータおよび第二可逆回転電気モータの各々がＡＣサーボモータであることを特徴とする請求項１記載のスイープアウト装置。
【請求項３】
前記複数の整合物品の各々は新たに成形されたガラス容器であり、
前記部材はアイエスガラス容器成形マシンの口板であり、
前記コンベアはガラス容器製造プラントのマシンのコンベアであることを特徴とする請求項２記載のスイープアウト装置。
【請求項４】
前記遊星歯車伝達装置は、
第二可逆回転電気モータの出力軸に連結された環状太陽歯車と、
該太陽歯車と係合する、互いに周方向に間隔を隔てた複数の遊星歯車と、
該複数の遊星歯車の各々を包囲しかつこれらと係合する環状リングギヤとを有することを特徴とする請求項３記載のスイープアウト装置。
【請求項５】
前記複数の遊星歯車は３つの遊星歯車からなることを特徴とする請求項４記載のスイープアウト装置。
【請求項６】
セクタギヤと、
前記第二可逆回転電気モータの軸線から間隔を隔てた一軸線の回りで揺動運動できるようにセクタギヤを取付ける構造と、
前記遊星歯車セットにより駆動されかつ第二可逆回転電気モータと同軸状に整合している駆動歯車とを有し、該駆動歯車はセクタギヤと係合し、
細長バーと係合している少なくとも１つの往復運動可能ロッドと、
前記少なくとも１つの細長バーが取付けられるブラケットとを有し、該ブラケットにはスロットが設けられ、
セクタギヤと一緒に揺動運動できるようにセクタギヤと同心状に取付けられたリンクを有し、該リンクはセクタギヤの揺動運動軸線から間隔を隔てた自由端を備え、
前記リンクの自由端に設けられかつ前記ブラケットのスロット内に受入れられたローラフォロワを更に有し、セクタギヤおよびリンクが揺動運動すると、前記スロット内にローラフォロワが係合していることにより、ブラケットが往復運動されることを特徴とする請求項５記載のスイープアウト装置。
【請求項７】
前記少なくとも１つの往復運動可能ロッドが、互いに間隔を隔てた複数の往復運動可能ロッドからなることを特徴とする請求項６記載のスイープアウト装置。
【請求項８】
一部材上に整合された複数の物品を、前記部材上の整合物品に対して横方向に延びているコンベアに搬送する方法であって、
細長バーを設け、細長バーはこれから横方向に延びている互いに間隔を隔てた複数のフィンガを備え、各フィンガは、細長バーと協働して、１つの物品を受入れるポケットを形成し、細長バーは９０°の弧に亘って揺動運動して、複数の物品を前記部材からコンベア上の位置にスイープアウトでき、細長バーは前記コンベア上の物品から後退すべく往復運動でき、
揺動運動を細長バーに伝達するための第一可逆回転電気モータを設ける、搬送方法において、
往復運動を細長バーに伝達するための第二可逆回転電気モータを設け、該第二可逆回転電気モータは第一可逆回転電気モータと同軸状に整合して配置され、
第一可逆回転電気モータを作動させて、揺動運動を細長バーに伝達し、
第二可逆回転電気モータを作動させて、往復運動を細長バーに伝達することを特徴とする搬送方法。
【請求項９】
前記部材上の複数の整合物品の各々が、新たに成形されたガラス容器であり、
前記部材はアイエスガラス容器成形マシンの口板であり、
前記コンベアはガラス容器製造プラントのマシンのコンベアであることを特徴とする請求項８記載の搬送方法。
【手続補正書】
【提出日】平成18年8月4日(2006.8.4)
【手続補正１】
【補正対象書類名】特許請求の範囲
【補正対象項目名】全文
【補正方法】変更
【補正の内容】
【特許請求の範囲】
【請求項１】
流動性物質を吐出するノンバリアタイプのエアゾール容器であって、
前記容器は、比較的薄い側壁の厚さを有する略円筒形の缶胴体部と、バルブ組立体とを有し、
前記缶胴体部は、前記容器の一端から他端への全長にわたって実質的に形成されたビードを有するビード状の缶胴体部であり、ビード加工は前記容器に対して構造強度を加えるため、流動性物質で充填されている間に前記容器が真空にされる際又は他の外力を受ける際に前記容器は容易に変形されず、
前記バルブ組立体は、前記容器に貯蔵された前記流動性物質を吐出するものであり、前記容器は前記流動性物質及び噴射剤で充填され、前記流動性物質及び噴射剤は、加圧下で前記容器に貯蔵される、エアゾール容器。
【請求項２】
前記バルブ組立体は、前記流動性物質を吐出する噴射バルブを有し、前記バルブ組立体は前記缶胴体部の一端に取り付けられる、請求項１記載のエアゾール容器。
【請求項３】
前記缶胴体部の他端に取り付けられた底面を更に含む、請求項２記載のエアゾール容器。
【請求項４】
少なくとも２３インチ水銀柱の真空に潰れることなく耐え得る、請求項１記載のエアゾール容器。
【請求項５】
前記缶胴体部は、スチール製であり、０．００４インチ（約０．１０２ｍｍ）乃至０．００８インチ（約０．２０５ｍｍ）の側壁の厚さを有する、請求項１記載のエアゾール容器。
【請求項６】
前記缶胴体部は、アルミニウム製であり、０．００４インチ（約０．１０２ｍｍ）乃至０．０１０インチ（約０．２５５ｍｍ）の側壁の厚さを有する、請求項１記載のエアゾール容器。
【請求項７】
前記噴射剤は、圧縮ガスであり、前記容器の圧力は、充填される際に９０乃至１４０ポンド−力／平方インチゲージ（約６２０乃至約９６５キロパスカル）である、請求項４記載のエアゾール容器。
【請求項８】
前記噴射剤は、液化ガスであり、前記容器の圧力は、充填される際に３０乃至５０ポンド／平方インチ絶対圧力（約２０７乃至約３４５キロパスカル）である、請求項４記載のエアゾール容器。
【請求項９】
前記ビードは、均一に形成されたビードであり、前記缶胴体部の前記長さにわたって均一に間隔をあける、請求項１記載のエアゾール容器。
【請求項１０】
前記缶胴体部において形成された最上位置のビード及び最下位置に形成されたビードは各々、前記缶胴体部の夫々上端及び下端から同一の所定の距離を形成される、請求項９記載のエアゾール容器。
【請求項１１】
各ビードの奥行きは、隣接するビードの中央の間の距離の約６分の１の距離である、請求項１記載のエアゾール容器。
【手続補正２】
【補正対象書類名】明細書
【補正対象項目名】０００４
【補正方法】変更
【補正の内容】
【０００４】
薄肉の側壁を有する容器には多数の利点（例えば材料低コスト）があるが、現在の缶構造は不利点もまた有する。例えば、充填前の缶の取扱い中、たとえ中程度の力でも容器を変形又は圧壊されうることである。これにより、容器は使用不可能になり、製造工程のコストは増加する。中程度の力は、たとえ取扱い及び製造工程が略自動化されていても、それらの工程で、容器のいかなる場所にも何度でも偶発的に負荷されうる、ということを当業者は十分理解するであろう。
【手続補正３】
【補正対象書類名】明細書
【補正対象項目名】０００６
【補正方法】変更
【補正の内容】
【０００６】
本発明の目的の１つは、簡単に述べると、流動性物質を吐出するよう使用される薄肉壁のエアゾール容器である。容器は、２部分構成構造又は３部分構成構造のいずれか、また、バリアタイプ又はノンバリアタイプの容器のいずれかであってよい。容器は、ビード構造を有する円筒形の缶胴体部を有する。ビード加工は、容器に著しい構造上の強度を加え、缶が加圧されていない際の側壁の変形及び圧壊を防止する。容器はまた、流動性物質を吐出する噴射バルブ組立体を有する。ビード加工によって缶胴体部に加えられた更なる構造上の強度によって、容器は製造中の損傷を受けににくくなると同時に、製造メーカは従来の容器よりも薄肉壁の構造による節約を実現しうる。
【手続補正書】
【提出日】平成18年6月13日(2006.6.13)
【手続補正１】
【補正対象書類名】特許請求の範囲
【補正対象項目名】全文
【補正方法】変更
【補正の内容】
【特許請求の範囲】
【請求項１】
次式：
【化１】
2005538072.tif 000001
［式中、
Ｒ1及びＲ2は互いに独立して水素原子、炭素原子数１ないし２２のアルキル基、シクロ−炭素原子数３ないし８のアルキル基、又は、非置換又は炭素原子数１ないし６のアルキル基により若しくは炭素原子数１ないし６のアルコキシ基により置換された炭素原子数６ないし２０のアリール基を表わし、或いは、Ｒ1及びＲ2はそれらを結合している窒素原子と一緒になって−（ＣＨ2）m環を形成し、該環は、中断されていないか又は−Ｏ−基により若しくは−ＮＨ−基により中断されており、
Ｒ3はシアノ基、−ＣＯＯＲ5基、−ＣＯＮＨＲ5基、−ＣＯＲ5基、又は−ＳＯ2Ｒ5基、−ＣＯＮＲ1Ｒ5基を表わし、
Ｒ4はシアノ基、−ＣＯＯＲ6基、−ＣＯＮＨＲ6基、−ＣＯＲ6基、又は−ＳＯ2Ｒ6基、−ＣＯＮＲ2Ｒ6基を表わし、
Ｒ5及びＲ6は互いに独立して炭素原子数１ないし２２のアルキル基、シクロ−炭素原子数３ないし８のアルキル基、又は、非置換又は炭素原子数１ないし６のアルキル基により置換された炭素原子数６ないし２０のアリール基を表わし、
或いは、Ｒ3及びＲ4は一緒になって、又は、Ｒ5及びＲ6は一緒になって、５−ないし７−員の、単環式、炭素環式又はヘテロ環式環を形成し、
Ｚ1及びＺ2は互いに独立して−（ＣＨ2）l基を表わし、該基は、中断されていないか又は−Ｏ−基、−Ｓ−基により若しくは−ＮＲ7−基により中断されており、及び／又は、
非置換又は炭素原子数１ないし６のアルキル基により置換されており、
Ｒ7は炭素原子数１ないし５のアルキル基を表わし、
ｌは１ないし４を表わし、
ｍは１ないし７を表わし、
ｎは１ないし４を表わし、
ｎ＝２のとき、Ｒ1、Ｒ5又はＲ6は二価アルキル基を表わし、或いは、Ｒ1及びＲ2はそ
れらを結合している窒素原子と一緒になって−（ＣＨ2）m環を形成し、
ｎ＝３のとき、Ｒ１、Ｒ５又はＲ６は三価アルキル基を表わし、
ｎ＝４のとき、Ｒ1、Ｒ5又はＲ6は四価アルキル基を表わし、
前記式（１）中のＲ1及びＲ2が同時に水素原子を表わさない。］で表わされる化合物の、ヒト及び動物の髪及び皮膚を紫外線から保護する際の使用。
【請求項２】
請求項１記載の式（１）又は（２）で表わされる化合物少なくとも１種又はそれより多くと、化粧品の許容され得るキャリア又は助剤を含む、化粧品製剤。
【請求項３】
次式：
【化２】
2005538072.tif 000002
［式中、
Ｒ1は炭素原子数１ないし４のアルキレン基を表わし、
Ｒ2は炭素原子数１ないし５のアルキル基を表わし、或いは、Ｒ1及びＲ2はそれらを結
合している２個の窒素原子と一緒になって−（ＣＨ2）m環を形成し、
Ｒ5は炭素原子数１ないし２２のアルキル基を表わし、
ｍは１ないし７を表わす。］で表わされる化合物。
【手続補正書】
【提出日】平成18年8月23日(2006.8.23)
【手続補正１】
【補正対象書類名】特許請求の範囲
【補正対象項目名】請求項１
【補正方法】変更
【補正の内容】
【請求項１】
ａ）気化性炭化水素及び水蒸気用の入口と、改質室で行う改質反応で生じる水素及び副生ガス用の流路と、副生ガス出口とを備えた改質触媒床含有改質室、
ｂ）前記改質触媒床と熱伝達関係にあり、分布、制御された熱束を前記改質触媒床に供給する少なくとも１つの無炎分布式燃焼室であって、３種の同心導管：ｉ）酸化剤の入口及び流路と、ｉｉ）燃料入口及び複数の燃料ノズルを有する燃料導管であって、該複数のノズルは、燃料導管内から前記酸化剤の流路まで流動可能に連絡すると共に、該燃焼室で燃料と酸化剤とが混合すると、無炎となるように、燃料導管の長さ沿いに大きさを合せ、かつ間隔を置いた該燃料導管と、ｉｉｉ）煙道ガスが閉鎖端部から流れて開口端部に出る煙道ガス用の開口端部及び閉鎖端部を有する導管とを備えた該無炎分布式燃焼室、
ｃ）前記無炎分布式燃焼室で燃料と酸化剤とが混合すると、得られた燃料と酸化剤との混合物の温度が、該混合物の自然発火温度を超える温度に、前記酸化剤を予備加熱できる予備加熱器、及び
ｄ）前記改質触媒床と接する少なくとも２つの水素選択性水素透過性膜管であって、各膜管は出口を備え、改質室で形成された水素は、該膜管中に透過し、該出口を通過する該水素選択性水素透過性膜管、
を有する無炎分布式燃焼加熱型膜水蒸気改質反応器。
【手続補正２】
【補正対象書類名】特許請求の範囲
【補正対象項目名】請求項２
【補正方法】変更
【補正の内容】
【請求項２】
ａ）水蒸気と気化性炭化水素とを、改質触媒含有改質帯中、約２００〜７００℃の温度及び約１〜約２００バールの圧力で反応させて、主として水素と二酸化炭素との混合物及び少量の一酸化炭素を生成する工程、
ｂ）３種の同心導管：ｉ）酸化剤の入口及び流路と、ｉｉ）燃料入口及び複数の燃料ノズルを有する燃料導管であって、該複数のノズルは、燃料導管内から前記酸化剤の流路まで流動可能に連絡すると共に、該燃焼室で燃料と酸化剤とが混合すると、無炎となるように、燃料導管の長さ沿いに大きさを合せ、かつ間隔を置いた該燃料導管と、ｉｉｉ）煙道ガスが閉鎖端部から流れて開口端部に出る煙道ガス用の開口端部及び閉鎖端部を有する導管とを備えた少なくとも１つの無炎分布式燃焼室を用いて、前記反応帯に先細り型熱束により熱を供給することにより前記反応を推進する工程、及び
ｃ）少なくとも２つの水素透過性水素選択性膜管の付近で前記反応を行うことにより、前記反応帯で形成された水素を該水素選択性膜管を透過させ、前記二酸化炭素及び一酸化炭素から分離する工程、
を含む水素の製造方法。
【手続補正３】
【補正対象書類名】特許請求の範囲
【補正対象項目名】請求項４
【補正方法】変更
【補正の内容】
【請求項４】
ａ）気化性炭化水素入口と、脱水素室で行う脱水素反応で生じる水素及び生成ガス用の流路と、生成ガス出口とを備えた触媒床含有脱水素室、
ｂ）前記触媒床と熱伝達関係にあり、分布、制御された熱束を前記触媒床に供給する少なくとも１つの無炎分布式燃焼室であって、３種の導管：ｉ）酸化剤の入口及び流路と、ｉｉ）燃料入口及び複数の燃料ノズルを有する燃料導管であって、該複数のノズルは、燃料導管内から前記酸化剤の流路まで流動可能に連絡すると共に、該燃焼室で燃料と酸化剤とが混合すると、無炎となるように、燃料導管の長さ沿いに大きさを合せ、かつ間隔を置いた該燃料導管と、ｉｉｉ）煙道ガスが閉鎖端部から流れて開口端部に出る煙道ガス用の開口端部及び閉鎖端部を有する導管とを備えた該無炎分布式燃焼室、
ｃ）前記無炎分布式燃焼室で燃料と酸化剤とが混合すると、得られた燃料と酸化剤との混合物の温度が、該混合物の自然発火温度を超える温度に、前記酸化剤を予備加熱できる予備加熱器、及び
ｄ）前記触媒床と接する少なくとも２つの水素選択性水素透過性膜管であって、各膜管は出口を備え、脱水素室で形成された水素は、該膜管中に透過し、該出口を通過する該水素選択性水素透過性膜管、
を有する無炎分布式燃焼加熱型膜脱水素反応器。
【手続補正書】
【提出日】平成18年9月1日(2006.9.1)
【手続補正１】
【補正対象書類名】明細書
【補正対象項目名】００１２
【補正方法】変更
【補正の内容】
【００１２】
ラック２８と歯車３４との間のバックラッシを最小限に抑えると共にこれらいずれかに生じる摩耗を連続的に補償するためラック２８は、ハウジング３８内に設けられていて、リンク４０に作用する圧縮ばねによって歯車３４に連続的に弾性的に押し付けられ、リンク４０は、ハウジング３８の端部の各々に枢着され、ラック２８は、リンク４０に対して往復動できる。リンク４０は、ピボットピン４４回りに回動するレバーアーム４２の端部に作用する。レバーアーム４２の反対側の端部のところに設けられていて、図３に示すように断面が全体としてＣ字形のノーズ部分５０が、ラック２８を包囲していて、ラック２８がレバーアーム４２に対して往復動することが連続的にできるようにする。レバーアーム４２は、歯車３４の軸線Ａと直径方向反対側の位置に回転自在なフォロア４６を更に備え、ローラ４６は、ラック２８の歯付き側部と反対側の側部に設けられたラック２８のフランジ４８に転動自在に載り、それによりラック２８の往復動全体を通じてラック２８と歯車３４との間の制御された低摩擦接触を可能にする。
【手続補正書】
【提出日】平成18年7月5日(2006.7.5)
【手続補正１】
【補正対象書類名】特許請求の範囲
【補正対象項目名】全文
【補正方法】変更
【補正の内容】
【特許請求の範囲】
【請求項１】
次式
【化１】
2005538091.tif 000001
［式中、
Ｒ1は、−Ｈ、−ＯＨ、−Ｏ（Ｃ1−Ｃ4アルキル）、−ＯＣＯＣ6Ｈ5、−ＯＣＯ（Ｃ1−Ｃ6アルキル）または−ＯＳＯ2（Ｃ2−Ｃ6アルキル）であり；
Ｒ0、Ｒ2およびＲ3は、それぞれ−Ｈ、−ＯＨ、−Ｏ（Ｃ1−Ｃ4アルキル）、−ＯＣＯＣ6Ｈ5、−ＯＣＯ（Ｃ1−Ｃ6アルキル）、−ＯＳＯ2（Ｃ2−Ｃ6アルキル）またはハロであり；
Ｒ4は、１−ピペリジニル、１−ピロリジニル、メチル−１−ピロリジニル、ジメチル−１−ピロリジニル、４−モルホリノ、ジメチルアミノ、ジエチルアミノ、ジイソプロピルアミノまたは１−ヘキサメチレンイミノであり；
ｎは、２または３であり；
Ｘは、−Ｓ−または−ＨＣ＝ＣＨ−であり；
Ｇは、−Ｏ−、−Ｓ−、−ＳＯ−、ＳＯ2または−Ｎ（Ｒ5）−であって、ここにＲ5は−ＨまたはＣ1−Ｃ4アルキルであり；
Ｙは、−Ｏ−、−Ｓ−、−ＮＨ−、−ＮＭｅ−または−ＣＨ2−である］
で示される化合物またはその製薬的に許容し得る塩。
【請求項２】
次式
【化２】
2005538091.tif 000002
［式中、
Ｒ1は、−Ｈ、−ＯＨ、−Ｏ（Ｃ1−Ｃ4アルキル）、−ＯＣＯＣ6Ｈ5、−ＯＣＯ（Ｃ1−Ｃ6アルキル）または−ＯＳＯ2（Ｃ2−Ｃ6アルキル）であり；
Ｒ2およびＲ3は、それぞれ−Ｈ、−ＯＨ、−Ｏ（Ｃ1−Ｃ4アルキル）、−ＯＣＯＣ6Ｈ5、−ＯＣＯ（Ｃ1−Ｃ6アルキル）、−ＯＳＯ2（Ｃ2−Ｃ6アルキル）またはハロであり；
Ｒ4は、１−ピペリジニル、１−ピロリジニル、メチル−１−ピロリジニル、ジメチル−１−ピロリジニル、４−モルホリノ、ジメチルアミノ、ジエチルアミノ、ジイソプロピルアミノまたは１−ヘキサメチレンイミノであり；
ｎは、２または３であり；
Ｘは、−Ｓ−または−ＨＣ＝ＣＨ−であり；
Ｇは、−Ｏ−、−Ｓ−、−ＳＯ−、ＳＯ2または−Ｎ（Ｒ5）−であって、ここにＲ5は−ＨまたはＣ1−Ｃ4アルキルであり；
Ｙは、−Ｏ−、−Ｓ−、−ＮＨ−、−ＮＭｅ−または−ＣＨ2−である］
で示される化合物またはその製薬的に許容し得る塩である請求項１記載の化合物。
【請求項３】
Ｇが−Ｏ−であり、Ｙが−Ｏ−であり、ｎが２であり、Ｒ1が−ＯＨであり、Ｒ4が１−ピペリジニルである、請求項１または２記載の化合物。
【請求項４】
Ｒ0、Ｒ2およびＲ3のうちの２つが−Ｈである、請求項１〜３のいずれかに記載の化合物。
【請求項５】
Ｒ0、Ｒ2およびＲ3のうちの２つが−Ｈであり、その他は−ＯＨである、請求項１〜３のいずれかに記載の化合物。
【請求項６】
Ｒ0、Ｒ2およびＲ3がいずれも−Ｈである、請求項１〜３のいずれかに記載の化合物。
【請求項７】
Ｒ0、Ｒ2、およびＲ3の少なくとも１つがハロであり、その他は−Ｈである、請求項１〜３のいずれかに記載の化合物。
【請求項８】
Ｘが−Ｓ−である、請求項１〜７のいずれかに記載の化合物。
【請求項９】
Ｘが−ＨＣ＝ＣＨ−である、請求項１〜７のいずれかに記載の化合物。
【請求項１０】
５−［４−（２−ピペリジン−１−イル−エトキシ）−フェニル］−５,１１−ジヒドロ−６−オキサ−１２−チア−ジベンゾ［ａ,ｆ］アズレン−２−オールまたはその製薬的に許容し得る塩である、請求項１記載の化合物。
【請求項１１】
１３−［４−（２−ピペリジン−１−イル−エトキシ）−フェニル］−７,１３−ジヒドロ−１２−オキサ−ベンゾ［４,５］シクロヘプタ［１,２−ａ］ナフタレン−３−オールまたはその製薬的に許容し得る塩である、請求項１記載の化合物。
【請求項１２】
次式
【化３】
2005538091.tif 000003
［式中、
Ｒ1は、−Ｈ、−ＯＨ、−Ｏ（Ｃ1−Ｃ4アルキル）、−ＯＣＯＣ6Ｈ5、−ＯＣＯ（Ｃ1−Ｃ6アルキル）または−ＯＳＯ2（Ｃ2−Ｃ6アルキル）であり；
Ｒ0a、Ｒ2aおよびＲ3aは、それぞれ−Ｈ、−ＯＰｇまたはハロであり、ここにＰｇはヒドロキシ保護基であり；
Ｒ4は、１−ピペリジニル、１−ピロリジニル、メチル−１−ピロリジニル、ジメチル−１−ピロリジニル、４−モルホリノ、ジメチルアミノ、ジエチルアミノ、ジイソプロピルアミノまたは１−ヘキサメチレンイミノであり；
ｎは２または３であり；
Ｇ1は、−Ｏ−、−Ｓ−または−Ｎ（Ｒ5）−であって、ここにＲ5は−ＨまたはＣ1−Ｃ4アルキルであり；
Ｙは、−Ｏ−、−Ｓ−、−ＮＨ−、−ＮＭｅ−または−ＣＨ2−である］
で示される化合物またはその製薬的に許容し得る塩。
【請求項１３】
次式
【化４】
2005538091.tif 000004
［式中、
Ｒ1は、−Ｈ、−ＯＨ、−Ｏ（Ｃ1−Ｃ4アルキル）、−ＯＣＯＣ6Ｈ5、−ＯＣＯ（Ｃ1−Ｃ6アルキル）または−ＯＳＯ2（Ｃ2−Ｃ6アルキル）であり；
Ｒ0a、Ｒ2aおよびＲ3aは、それぞれ−Ｈ、−ＯＰｇまたはハロであり、ここにＰｇは、ヒドロキシ保護基であり；
Ｒ4は、１−ピペリジニル、１−ピロリジニル、メチル−１−ピロリジニル、ジメチル−１−ピロリジニル、４−モルホリノ、ジメチルアミノ、ジエチルアミノ、ジイソプロピルアミノまたは１−ヘキサメチレンイミノであり；
ｎは、２または３であり；
Ｇ1は、−Ｏ−、−Ｓ−または−Ｎ（Ｒ5）−であって、ここにＲ5は−ＨまたはＣ1−Ｃ4アルキルであり；
Ｙは、−Ｏ−、−Ｓ−、−ＮＨ−、−ＮＭｅ−または−ＣＨ2−である］
で示される化合物またはその製薬的に許容し得る塩。
【請求項１４】
次式
【化５】
2005538091.tif 000005
［式中、
Ｒ1は、−Ｈ、−ＯＨ、−Ｏ（Ｃ1−Ｃ4アルキル）、−ＯＣＯＣ6Ｈ5、−ＯＣＯ（Ｃ1−Ｃ6アルキル）または−ＯＳＯ2（Ｃ2−Ｃ6アルキル）であり；
Ｒ0a、Ｒ2aおよびＲ3aは、それぞれ−Ｈ、−ＯＰｇまたはハロであり、ここにＰｇは、ヒドロキシ保護基であり；
Ｒ4は、１−ピペリジニル、１−ピロリジニル、メチル−１−ピロリジニル、ジメチル−１−ピロリジニル、４−モルホリノ、ジメチルアミノ、ジエチルアミノ、ジイソプロピルアミノまたは１−ヘキサメチレンイミノであり；
ｎは、２または３であり；
Ｇ1は、−Ｏ−、−Ｓ−または−Ｎ（Ｒ5）−であって、ここにＲ5は−ＨまたはＣ1−Ｃ4アルキルであり；
Ｙは、−Ｏ−、−Ｓ−、−ＮＨ−、−ＮＭｅ−または−ＣＨ2−である］
で示される化合物またはその製薬的に許容し得る塩。
【手続補正書】
【提出日】平成18年6月13日(2006.6.13)
【手続補正１】
【補正対象書類名】特許請求の範囲
【補正対象項目名】全文
【補正方法】変更
【補正の内容】
【特許請求の範囲】
【請求項１】
しわ、例えば額のしわ、頭痛、例えば偏頭痛、頭痛の痛み、頸部ジストニア、手の局所性ジストニア、神経原性炎症、多汗、眼瞼痙攣、斜視、片側顔面痙攣、眼瞼障害、脳性麻痺、局所性痙攣、肢痙攣、チック、振戦、歯ぎしり、裂肛、線維筋痛、嚥下障害、流涙、および筋痙攣に起因する痛みを処置するためのボツリヌス毒素含有医薬の使用であって、
（a）角質層の不透過性を低下させるために患者の皮膚の角質層を非化学的に破壊するステップと、
（b）患者の皮膚のうち、ステップ（a）で角質層が破壊されている領域に、医薬を適用するステップ、
によって使用し、医薬は、患者の皮下構造における神経伝達物質放出を減少させる使用。
【請求項２】
角質層を、角質層の研磨的除去によって破壊する請求項１に記載の使用。
【請求項３】
患者の皮膚に接着性物質を適用し、そこに適用した接着性物質を除去することによって角質層を破壊する請求項１に記載の使用。
【請求項４】
周波数20kHz〜10MHz未満の超音波を、患者の皮膚を永久的に損傷しない強度で適用することによって角質層を破壊する請求項１に記載の使用。
【請求項５】
患者の皮膚上の第1点から患者の皮膚の第2点に向かって電流を流すことによって角質層を破壊する請求項１に記載の使用。
【請求項６】
角質層に複数の孔を形成して皮下構造へのボツリヌス毒素の通過を促進するように電流を流す請求項５に記載の使用。
【請求項７】
ボツリヌス毒素をA型、B型、C型、D型、E型、F型およびG型からなるボツリヌス毒素の群より選択する請求項１に記載の使用。
【請求項８】
医薬が、皮膚を通したボツリヌス毒素の送達を促進するための促進剤を含む請求項１に記載の使用。
【請求項９】
ボツリヌス毒素をトランスファーソームに組み込む請求項１に記載の使用。
【手続補正書】
【提出日】平成18年6月1日(2006.6.1)
【手続補正１】
【補正対象書類名】特許請求の範囲
【補正対象項目名】全文
【補正方法】変更
【補正の内容】
【特許請求の範囲】
【請求項１】
式（Ｉｂ）
【化１】
2005538057.tif 000001
（式中、
Ｘは、−ＣＨ（Ｒ5）−、−ＣＨ（Ｒ5）−アルキレン−、−ＣＨ（Ｒ5）−アルケニレン−またはＣＨ（Ｒ5）−アルキレン−Ｙ−アルキレン−であり、
−Ｗ−Ｒ1は、−Ｏ−Ｒ1-1-5と−Ｓ（Ｏ）0-2−Ｒ1-6とから選択され、
Ｒ1-1-5は、
−Ｒ6−Ｃ（Ｒ7）−Ｚ−Ｒ8−アルキルと、
−Ｒ6−Ｃ（Ｒ7）−Ｚ−Ｒ8−アルケニルと、
−Ｒ6−Ｃ（Ｒ7）−Ｚ−Ｒ8−アリールと、
−Ｒ6−Ｃ（Ｒ7）−Ｚ−Ｒ8−ヘテロアリールと、
−Ｒ6−Ｃ（Ｒ7）−Ｚ−Ｒ8−ヘテロシクリルと、
−Ｒ6−Ｃ（Ｒ7）−Ｚ−Ｈと、
−Ｒ6−Ｎ（Ｒ9）−Ｃ（Ｒ7）−Ｒ8−アルキルと、
−Ｒ6−Ｎ（Ｒ9）−Ｃ（Ｒ7）−Ｒ8−アルケニルと、
−Ｒ6−Ｎ（Ｒ9）−Ｃ（Ｒ7）−Ｒ8−アリールと、
−Ｒ6−Ｎ（Ｒ9）−Ｃ（Ｒ7）−Ｒ8−ヘテロアリールと、
−Ｒ6−Ｎ（Ｒ9）−Ｃ（Ｒ7）−Ｒ8−ヘテロシクリルと、
−Ｒ6−Ｎ（Ｒ9）−Ｃ（Ｒ7）−Ｒ10と、
−Ｒ6−Ｎ（Ｒ9）−ＳＯ2−Ｒ8−アルキルと、
−Ｒ6−Ｎ（Ｒ9）−ＳＯ2−Ｒ8−アルケニルと、
−Ｒ6−Ｎ（Ｒ9）−ＳＯ2−Ｒ8−アリールと、
−Ｒ6−Ｎ（Ｒ9）−ＳＯ2−Ｒ8−ヘテロアリールと、
−Ｒ6−Ｎ（Ｒ9）−ＳＯ2−Ｒ8−ヘテロシクリルと、
−Ｒ6−Ｎ（Ｒ9）−ＳＯ2−Ｒ10と、
−Ｒ6−Ｎ（Ｒ9）−ＳＯ2−Ｎ（Ｒ5）−Ｒ8−アルキルと、
−Ｒ6−Ｎ（Ｒ9）−ＳＯ2−Ｎ（Ｒ5）−Ｒ8−アルケニルと、
−Ｒ6−Ｎ（Ｒ9）−ＳＯ2−Ｎ（Ｒ5）−Ｒ8−アリールと、
−Ｒ6−Ｎ（Ｒ9）−ＳＯ2−Ｎ（Ｒ5）−Ｒ8−ヘテロアリールと、
−Ｒ6−Ｎ（Ｒ9）−ＳＯ2−Ｎ（Ｒ5）−Ｒ8−ヘテロシクリルと、
−Ｒ6−Ｎ（Ｒ9）−ＳＯ2−ＮＨ2と、
−Ｒ6−Ｎ（Ｒ9）−Ｃ（Ｒ7）−Ｎ（Ｒ5）−Ｑ−Ｒ8−アルキルと、
−Ｒ6−Ｎ（Ｒ9）−Ｃ（Ｒ7）−Ｎ（Ｒ5）−Ｑ−Ｒ8−アルケニルと、
−Ｒ6−Ｎ（Ｒ9）−Ｃ（Ｒ7）−Ｎ（Ｒ5）−Ｑ−Ｒ8−アリールと、
−Ｒ6−Ｎ（Ｒ9）−Ｃ（Ｒ7）−Ｎ（Ｒ5）−Ｑ−Ｒ8−ヘテロアリールと、
−Ｒ6−Ｎ（Ｒ9）−Ｃ（Ｒ7）−Ｎ（Ｒ5）−Ｑ−Ｒ8−ヘテロシクリルと、
−Ｒ6−Ｎ（Ｒ9）−Ｃ（Ｒ7）−Ｎ（Ｒ5）2と、
【化２】
2005538057.tif 000002
と、
−Ｒ6−Ｎ（Ｒ9）−Ｃ（Ｒ7）−Ｎ（Ｒ11）−Ｑ−Ｒ8−アルキルと、
−Ｒ6−Ｎ（Ｒ9）−Ｃ（Ｒ7）−Ｎ（Ｒ11）−Ｑ−Ｒ8−アルケニルと、
−Ｒ6−Ｎ（Ｒ9）−Ｃ（Ｒ7）−Ｎ（Ｒ11）−Ｑ−Ｒ8−アリールと、
−Ｒ6−Ｎ（Ｒ9）−Ｃ（Ｒ7）−Ｎ（Ｒ11）−Ｑ−Ｒ8−ヘテロアリールと、
−Ｒ6−Ｎ（Ｒ9）−Ｃ（Ｒ7）−Ｎ（Ｒ11）−Ｑ−Ｒ8−ヘテロシクリルと、
−Ｒ6−Ｎ（Ｒ9）−Ｃ（Ｒ7）−Ｎ（Ｒ11）Ｈと、
−アルケニルと、
−アリールと、
−Ｒ6−アリールと、
−ヘテロアリールと、
−ヘテロシクリルと、
−Ｒ6−ヘテロアリールと、
−Ｒ6−ヘテロシクリルと、
から選択され、
Ｒ1-6は、
−アルキルと、
−アリールと、
−ヘテロアリールと、
−ヘテロシクリルと、
−アルケニルと、
−Ｒ6−アリールと、
−Ｒ6−ヘテロアリールと、
−Ｒ6−ヘテロシクリルと、
から選択され、
Ｒ2は、
−水素と、
−アルキルと、
−アルケニルと、
−アリールと、
−ヘテロアリールと、
−ヘテロシクリルと、
−アルキレン−Ｙ−アルキルと、
−アルキレン−Ｙ−アルケニルと、
−アルキレン−Ｙ−アリールと、
−ＯＨと、
−ハロゲンと、
−Ｎ（Ｒ5）2と、
−Ｃ（Ｏ）−Ｃ1-10アルキルと、
−Ｃ（Ｏ）−Ｏ−Ｃ1-10アルキルと、
−Ｎ3と、
−アリールと、
−ヘテロアリールと、
−ヘテロシクリルと、
−Ｃ（Ｏ）−アリールと、
−Ｃ（Ｏ）−ヘテロアリールと、からなる群から選択される１以上の置換基で置換された−アルキルまたはアルケニルと、
からなる群から選択され、
Ｙは、−Ｏ−または−Ｓ（Ｏ）0-2−であり、
Ｚは、−Ｎ（Ｒ5）−、−Ｏ−または−Ｓ−であり、
Ｑは、結合、−Ｃ（Ｏ）−または−ＳＯ2−であり、
Ａは、３個以下のヘテロ原子を含む５員環または６員環の複素環または複素芳香環を提供するのに必要な原子を表し、
Ｒ3およびＲ4は独立して、水素と、Ｃ1-10アルキルと、Ｃ2-10アルケニルと、Ｃ2-10アルキニルと、Ｃ1-10アルコキシと、Ｃ1-10アルキルチオと、アミノと、アルキルアミノと、ジアルキルアミノと、ハロゲンと、ニトロと、からなる群から選択され、
Ｒ5は各々独立して、水素、Ｃ1-10アルキルまたはＣ2-10アルケニルであり、
Ｒ6は、１以上の−Ｏ−基で中断されていてもよいアルキレン、アルケニレンまたはアルキニレンであり、
Ｒ7は＝Ｏまたは＝Ｓであり、
Ｒ8は、結合、１以上の−Ｏ−基で中断されていてもよい、アルキレン、アルケニレンまたはアルキニレンであり、
Ｒ9は、水素、Ｃ1-10アルキルまたはアリールアルキルであるか、あるいはＲ9は、Ｒ6のいずれかの炭素原子と互いに結合して式
【化３】
2005538057.tif 000003
の環を形成することが可能であり、
Ｒ10は、水素またはＣ1-10アルキルであるか、あるいはＲ9とＲ10とが互いに結合し、
【化４】
2005538057.tif 000004
と
【化５】
2005538057.tif 000005
とから選択される環を形成することが可能であり、
Ｒ11は、Ｃ1-10アルキルであるか、あるいはＲ9とＲ11とが互いに結合し、
【化６】
2005538057.tif 000006
という構造を有する環を形成することが可能であり、そして、
Ｒ12は、分枝によって環の形成が妨げられることのない分枝状または直鎖状のＣ2-7アルキレンである）で表される化合物あるいはその薬学的に許容可能な塩。
【請求項２】
薬学的に許容されるキャリアとの組み合わせで請求項１に記載の化合物を薬学的有効量で含む医薬組成物。
【手続補正書】
【提出日】平成18年9月15日(2006.9.15)
【手続補正１】
【補正対象書類名】特許請求の範囲
【補正対象項目名】全文
【補正方法】変更
【補正の内容】
【特許請求の範囲】
【請求項１】
以下からなる群より選択されるアミノ酸に対応する位置で1つまたはそれ以上の改変または変異を有する、変異逆転写酵素であって、50℃で、40℃で合成される量の少なくとも50%の全長cDNAを合成する逆転写酵素:
(a)M-MLV逆転写酵素のロイシン52;
(b)M-MLV逆転写酵素のチロシン64;
(c)M-MLV逆転写酵素のリジン152;
(d)M-MLV逆転写酵素のヒスチジン204;
(e)M-MLV逆転写酵素のメチオニン289;
(f)M-MLV逆転写酵素のスレオニン306;および
(g)M-MLV逆転写酵素のフェニルアラニン309。
【請求項２】
40℃で合成される量の少なくとも70%の全長cDNAを50℃で合成する、請求項1記載の逆転写酵素。
【請求項３】
40℃で合成される量の少なくとも80%の全長cDNAを50℃で合成する、請求項1記載の逆転写酵素。
【請求項４】
40℃で合成される量の少なくとも90%の全長cDNAを50℃で合成する、請求項1記載の逆転写酵素。
【請求項５】
逆転写酵素がM-MLVである、請求項1記載の逆転写酵素。
【請求項６】
以下からなる群より選択されるアミノ酸に対応する位置で1つまたはそれ以上の改変または変異を有する、変異逆転写酵素であって、52.5℃で、40℃で合成される量の少なくとも20%の全長cDNAを合成する逆転写酵素:
(a)M-MLV逆転写酵素のロイシン52;
(b)M-MLV逆転写酵素のチロシン64;
(c)M-MLV逆転写酵素のリジン152;
(d)M-MLV逆転写酵素のヒスチジン204;
(e)M-MLV逆転写酵素のメチオニン289;
(f)M-MLV逆転写酵素のスレオニン306;および
(g)M-MLV逆転写酵素のフェニルアラニン309。
【請求項７】
40℃で合成される量の少なくとも40%の全長cDNAを52.5℃で合成する、請求項6記載の逆転写酵素。
【請求項８】
40℃で合成される量の少なくとも50%の全長cDNAを52.5℃で合成する、請求項6記載の逆転写酵素。
【請求項９】
40℃で合成される量の少なくとも60%の全長cDNAを52.5℃で合成する、請求項6記載の逆転写酵素。
【請求項１０】
逆転写酵素がM-MLVである、請求項6記載の逆転写酵素。
【請求項１１】
以下からなる群より選択されるアミノ酸に対応する位置で1つまたはそれ以上の改変または変異を有する、変異逆転写酵素であって、55℃で、40℃で合成される量の少なくとも1%の全長cDNAを合成する逆転写酵素:
(a)M-MLV逆転写酵素のロイシン52;
(b)M-MLV逆転写酵素のチロシン64;
(c)M-MLV逆転写酵素のリジン152;
(d)M-MLV逆転写酵素のヒスチジン204;
(e)M-MLV逆転写酵素のメチオニン289;
(f)M-MLV逆転写酵素のスレオニン306;および
(g)M-MLV逆転写酵素のフェニルアラニン309。
【請求項１２】
40℃で合成される量の少なくとも5%の全長cDNAを55℃で合成する、請求項11記載の逆転写酵素。
【請求項１３】
40℃で合成される量の少なくとも10%の全長cDNAを55℃で合成する、請求項11記載の逆転写酵素。
【請求項１４】
40℃で合成される量の少なくとも20%の全長cDNAを55℃で合成する、請求項11記載の逆転写酵素。
【請求項１５】
逆転写酵素がM-MLVである、請求項11記載の逆転写酵素。
【手続補正書】
【提出日】平成18年4月18日(2006.4.18)
【手続補正１】
【補正対象書類名】明細書
【補正対象項目名】０００５
【補正方法】変更
【補正の内容】
【０００５】
米国特許第３，６１７，３０１号明細書には、少なくとも７００ｍ２/ ｇの表面積および３〜１２ｎｍ平均孔径を有するヒドロゲルをビールに添加しそしてそれを次いで除去するビールの清澄化法が開示されている。
【手続補正２】
【補正対象書類名】明細書
【補正対象項目名】００２７
【補正方法】変更
【補正の内容】
【００２７】
泡保持性、ナトリウム含有量、タノイド（tannoid）、全ポリフェノール、ＭｇＳＯ4 で沈殿可能な窒素および加温ディー(warm day)には差が認められるが、残りの値は実質的に同じである。
【手続補正３】
【補正対象書類名】明細書
【補正対象項目名】００２８
【補正方法】変更
【補正の内容】
【００２８】
本発明に従って処理されたビールの泡ポイント(foam point) は比較例と比較して未濾過液でも濾過液でも改善されている。ＭｇＳＯ4 で沈殿可能な窒素の量は比較例におけるよりも僅かに多い。本発明に従って処理されたビールのナトリウム含有量は約２ｍｇ／Ｌだけ増加した。本発明に従って製造された未濾過液のタノイド量は比較例の未濾過液よりも僅かに多い。反対に濾過液では差が認められない。全ポリファノールの量は同様の挙動を示す。